(57)【要約】【課題】所期の性能を維持することができる電池を提供する。【解決手段】電池１は、正極１１と負極１２とがセパレータ１３を介して積層される発電要素（充放電部１０）と、充放電部１０を収容する収容部材（収容部２０）と、収容部２０に収容され、充放電部１０に浸透させる電解液１４と、収容部２０に電解液１４を導入しつつ導出して充放電部１０に流通させる流通部材（ポンプ４３）と、を有している。【選択図】図２
2020053212.tif 000002
【特許請求の範囲】
【請求項１】
正極と負極とがセパレータを介して積層される発電要素と、
前記発電要素を収容する収容部材と、
前記収容部材に収容され、前記発電要素に浸透させる電解液と、
前記発電要素に前記電解液を流通させるべく前記収容部材内に前記電解液の流れを形成する流通部材と、を有する電池。
【請求項２】
前記流通部材は、少なくとも前記発電要素が充電されているときに、前記収容部材内に前記電解液の流れを形成させる、請求項１に記載の電池。
【請求項３】
前記流通部材は、積層された前記発電要素の端面に向かって前記電解液の流れを形成させる、請求項１又は２に記載の電池。
【請求項４】
前記収容部材に接続され前記収容部材に前記電解液を導入及び導出する循環路を、更に有し、
前記流通部材は、前記循環路を介して前記収容部材に前記電解液を循環させて流通させる、請求項１から３の何れかに記載の電池。
【請求項５】
前記循環路に設けられ固形状の物体を捕集するフィルタを、更に有し、
前記流通部材は、前記フィルタを介して、前記発電要素に前記電解液を循環させて流通させる、請求項４に記載の電池。
【請求項６】
前記循環路に設けられ前記電解液を収容するタンクを、更に有し、
前記流通部材は、前記タンクを介して、前記発電要素に前記電解液を循環させて流通させる、請求項４又は５に記載の電池。
【請求項７】
車両に設けられる、請求項１から６の何れかに記載の電池。
【発明の詳細な説明】
【技術分野】
【０００１】
本発明は、電池に関する。
【背景技術】
【０００２】
従来から、正極と負極の導通を抑制する電池が知られている。例えば、電解液中に気体を供給して気泡を発生させ、その電解液を速やかに循環させることによって、成長したデンドライトに起因した正極と負極との導通を抑制する技術がある（例えば、特許文献１を参照）。
【先行技術文献】
【特許文献】
【０００３】
【特許文献１】特開２０１８−３７２９０号公報
【発明の概要】
【発明が解決しようとする課題】
【０００４】
特許文献１に開示されている電池では、電解液中の気泡に起因して、所期の性能を維持することができない虞がある。
【０００５】
本発明の目的は、所期の性能を維持することができる電池を提供することにある。
【課題を解決するための手段】
【０００６】
かかる目的を達成するために、本発明の電池は、正極と負極とがセパレータを介して積層される発電要素と、発電要素を収容する収容部材と、収容部材に収容され、発電要素に浸透させる電解液と、発電要素に流通させるべく収容部材内に流れを形成する流通部材と、を有する。
【発明の効果】
【０００７】
本発明によれば、所期の性能を維持することができる電池を実現することができる。
【図面の簡単な説明】
【０００８】
【図１】実施形態の電池を設けた車両を示す模式図。
【図２】図１の電池を示す斜視図。
【図３】図２の電池を分解して示す斜視図。
【発明を実施するための形態】
【０００９】
「実施形態の電池１を設けた車両１００の構成」
実施形態の電池１を設けた車両１００の構成について、図１を参照して説明する。
【００１０】
車両１００は、一例として、エンジンを設けない電気自動車を想定している。電池１の放電に関して、電池１から電源ケーブル２を介して出力された直流の電力は、インバータ３によって交流に変換された後、前輪４を回転させる前輪用モータ５及び後輪６を回転させる後輪用モータ７等に出力される。電池１の充電に関して、給電設備２００から電源ケーブル８を介して出力された交流の電力は、インバータ３によって直流に変換された後、電池１に入力される。給電設備２００は、電線を介して住宅に供給される電力を用いた給電設備や、商業施設の駐車場等に設置された電気スタンドからなる給電設備である。電池１は、車両１００の減速に伴う回生エネルギーによって充電することもできる。尚、車両１００は、電池１と図示せぬエンジンを併用するハイブリッド自動車としてもよい。この場合、電池１は、給電設備２００からの充電に加えて、エンジンの回転エネルギーによって充電することもできる。回転エネルギーは、図示せぬ発電機によって交流の電力に変換され、インバータ３によって直流に変換された後、電池１に入力される。
【００１１】
「実施形態の電池１の構成」
実施形態の電池１は、一例として、充放電可能なリチウムイオン二次電池を想定している。電池１の構成（充放電部１０、収容部２０、通電部３０及び電解液循環部４０）について、図２及び図３を参照して説明する。
【００１２】
［電池１の充放電部１０］
充放電部１０は、発電要素に相当し、図２及び図３に示すように、正極１１と負極１２とがセパレータ１３を介して積層される。充放電部１０は、繰り返し充放電される。充放電部１０は、図１に示すように、給電設備２００から充電される。又、充放電部１０は、図１に示すように、前輪用モータ５及び後輪用モータ７に対して電力を供給（放電）する。
【００１３】
充放電部１０は、図２及び図３に示すように、正極１１と、負極１２と、セパレータ１３と、電解液１４から構成されている。具体的には、充放電部１０は、正極１１と負極１２がセパレータ１３を介して巻回され、それらの部材の間に電解液１４が浸透されて構成されている。
【００１４】
正極１１は、図２及び図３に示すように、アノード側の電極を構成するものである。正極１１は、正極集電体と正極活物質を有している。正極集電体は、例えば、帯状に形成されたアルミニウムからなる。正極活物質は、巻回される正極集電体において、巻回方向と直交する一方の縁に相当する正極側縁部１１ａを除いた部分に固着されている。換言すると、正極側縁部１１ａでは、正極集電体が露出している。正極活物質は、例えば、マンガン酸リチウムからなる。
【００１５】
負極１２は、図２及び図３に示すように、カソード側の電極を構成するものである。負極１２は、負極集電体と負極活物質を有している。負極集電体は、例えば、帯状に形成された銅からなる。負極活物質は、巻回される負極集電体において、巻回方向と直交する一方の縁に相当する負極側縁部１２ａを除いた部分に固着されている。換言すると、負極側縁部１２ａでは、負極集電体が露出している。負極側縁部１２ａは、正極側縁部１１ａと、巻回方向と直交する両端において対向している。負極活物質は、例えば、リチウム金属からなる。負極活物質は、黒鉛を適用してもよい。
【００１６】
セパレータ１３は、図２及び図３に示すように、正極１１と負極１２を絶縁しつつ、リチウムイオンを通過させるものである。セパレータ１３は、例えば、帯状に形成された不織布からなる。不織布は、ポリオレフィン系化合物のポリエチレンと比較して、電解液１４を通過させ易い。セパレータ１３は、正極１１と負極１２の間に挟み込まれている。
【００１７】
電解液１４は、図２及び図３に示すように、収容部２０に収容され、充放電部１０に浸透させる。電解液１４は、正極１１と負極１２の間でリチウムイオンを移動させるものである。電解液１４は、電解質を溶媒に溶解して構成されている。電解質は、例えば、リチウム塩からなる。溶媒は、例えば、エチレンカーボネート（ＥＣ：Ｅｔｈｙｌｅｎｅ  Ｃａｒｂｏｎａｔｅ）等の環状カーボネートと、ジメチルカーボネート等の鎖状カーボネートを有機系の液体成分に混合して構成されている。
【００１８】
［電池１の収容部２０］
収容部２０は、収容部材に相当し、図１から図３に示すように、充放電部１０を収容する。
【００１９】
収容部２０は、図２及び図３に示すように、容器２１と、蓋２２から構成されている。
【００２０】
容器２１は、図２及び図３に示すように、充放電部１０を収容するものである。容器２１は、側面に開口した開口部２１ａと、開口部２１ａから内部に窪んだ収容部２１ｂを有している。容器２１は、例えば、ステンレス鋼からなる。容器２１の収容部２１ｂには、充放電部１０との短絡を防止するための絶縁コーティングが施されている。
【００２１】
蓋２２は、図２及び図３に示すように、容器２１を封止するものである。蓋２２は、板状に形成され、起立して配置されている。蓋２２には、正極用ねじ孔２２ａと負極用ねじ孔２２ｂが対向するように形成されている。蓋２２は、例えば、ステンレス鋼からなる。蓋２２は、充放電部１０及び通電部３０との短絡を防止するための絶縁コーティングが施されている。蓋２２は、容器２１の開口部２１ａに溶接される。
【００２２】
［電池１の通電部３０］
通電部３０は、図１から図３に示すように、電源ケーブル２を介して、充放電部１０と前輪用モータ５及び充放電部１０と後輪用モータ７をそれぞれ通電させる。又、通電部３０は、電源ケーブル８を介して、充放電部１０と給電設備２００を通電させる。
【００２３】
通電部３０は、図２及び図３に示すように、一対の集電板３１（正極側集電板３１Ｍと負極側集電板３１Ｎ）と、一対の電極端子３２（正極側電極端子３２Ｍと負極側電極端子３２Ｎ）から構成されている。
【００２４】
一対の集電板３１（正極側集電板３１Ｍと負極側集電板３１Ｎ）は、図２及び図３に示すように、充放電部１０における電力の入出力を介するものである。正極側集電板３１Ｍと負極側集電板３１Ｎは、同一の形状からなり、天地を反転させた状態で配置されている。集電板３１は、上下に延びた板状の中央部３１ａと、中央部３１ａの両端から対向するように水平に延びた板状の第１側面部３１ｂ及び第２側面部３１ｃを有している。集電板３１は、導電性を備えた金属からなる。正極側集電板３１Ｍは、充放電部１０の正極側縁部１１ａを、第１側面部３１ｂと第２側面部３１ｃとによって挟みつつ、中央部３１ａによって押圧する。負極側集電板３１Ｎは、充放電部１０の負極側縁部１２ａを、第１側面部３１ｂと第２側面部３１ｃとによって挟みつつ、中央部３１ａによって押圧する。
【００２５】
一対の電極端子３２（正極側電極端子３２Ｍと負極側電極端子３２Ｎ）は、図２及び図３に示すように、一対の集電板３１（正極側集電板３１Ｍと負極側集電板３１Ｎ）と共に、充放電部１０における電力の入出力を介するものである。正極側電極端子３２Ｍと負極側電極端子３２Ｎは、同一の形状からなる。電極端子３２は、円柱形状に形成され、外周面にねじ溝３２ａが形成されている。電極端子３２は、導電性を備えた金属からなる。ねじ溝３２ａの外周面には、蓋２２等との短絡を防止するための絶縁コーティングが施されている。正極側電極端子３２Ｍは、蓋２２の正極用ねじ孔２２ａにねじ留めされた状態で、正極側集電板３１Ｍの中央部３１ａを充放電部１０に向かって押圧する。負極側電極端子３２Ｎは、蓋２２の負極用ねじ孔２２ｂにねじ留めされた状態で、負極側集電板３１Ｎの中央部３１ａを充放電部１０に向かって押圧する。
【００２６】
［電池１の電解液循環部４０］
電解液循環部４０（循環路）は、図１から図３に示すように、収容部２０に接続され収容部２０に電解液１４を導入及び導出する。
【００２７】
電解液循環部４０は、図２及び図３に示すように、タンク４１と、連結管４２と、ポンプ４３と、導入管４４と、導出管４５と、フィルタ４６と、戻管４７から構成されている。
【００２８】
タンク４１は、図２及び図３に示すように、電解液１４を貯蔵するものである。タンク４１を設けることによって、容器２１とタンク４１の間で電解液１４を循環させる。タンク４１は、電解液１４に耐食性を備えた材質からなる。
【００２９】
連結管４２は、図２及び図３に示すように、タンク４１とポンプ４３を連結するものである。連結管４２は、タンク４１の下流側とポンプ４３の上流側に連結されている。連結管４２は、以下に説明する導入管４４、導出管４５及び戻管４７と同様に、電解液１４に耐食性を備えた材質からなる。
【００３０】
ポンプ４３は、流通部材に相当し、図２及び図３に示すように、充放電部１０内に電解液１４を流通させるべく収容部２０内に電解液１４の流れを形成する。換言すると、ポンプ４３は、電解液１４を容器２１とタンク４１の間で循環させるものである。ポンプ４３は、正極１１と負極１２とがセパレータ１３を介して積層された充放電部１０の端面に向かって電解液１４を流通させる。尚、ここでいう充放電部１０の端面とは、正極１１と負極１２とがセパレータ１３を介して積層された状態で外部に臨む端部がある面、換言すると、正極１１と負極１２とセパレータ１３の積層状態が見える面である。ポンプ４３は、容器２１内の圧力変動を抑制するために、一定の圧力で吸引する。
【００３１】
導入管４４は、図２及び図３に示すように、電解液１４を容器２１に導入するものである。導入管４４は、ポンプ４３の下流側と容器２１の上流側に連結されている。導入管４４は、上流部４４ａが一本の配管からなり、下流部４４ｂが上流部４４ａから複数に分岐された配管からなる。複数に分岐された下流部４４ｂは、容器２１の上部に複数形成された第１開口２１ｃに溶接されている。
【００３２】
導出管４５は、図２及び図３に示すように、容器２１から電解液１４を導出するものである。導出管４５は、容器２１の下流側とフィルタ４６の上流側に連結されている。導出管４５は、上流部４５ａが複数に分岐された配管からなり、下流部４５ｂが上流部４５ａから集約された一本の配管からなる。複数に分岐された上流部４５ａは、容器２１の下部に複数形成された第２開口２１ｄに溶接されている。
【００３３】
フィルタ４６は、図２及び図３に示すように、容器２１から導出された電解液１４に含まれる不純物を除去するものである。フィルタ４６は、例えば、金属ワイヤーを織り込んで形成したり綿状に丸めて形成したりしたメッシュフィルターから構成されている。フィルタ４６は、充放電部１０の負極１２で発生したデンドライト（固形状の物体）等を捕集する。
【００３４】
戻管４７は、図２及び図３に示すように、フィルタ４６によって不純物が除去された電解液１４をタンク４１に戻すものである。戻管４７は、フィルタ４６の下流側とタンク４１の上流側に連結されている。
【００３５】
「実施形態の電池１の効果」
本実施形態によれば、電池１は、正極１１と負極１２とがセパレータ１３を介して積層される充放電部１０と、充放電部１０を収容する収容部２０と、収容部２０に収容され、充放電部１０に浸透させる電解液１４と、充放電部１０内に電解液１４を流通させるべく収容部２０内に電解液１４の流れを形成するポンプ４３と、を有している。
【００３６】
このように構成した電池１では、リチウムイオンが、淀みが抑制された電解液１４を通って、正極１１と負極１２の間を移動することができる。この結果、電池１は、所期の性能を維持することができる。
【００３７】
具体的には、電池１は、リチウムイオンの吸収時や放出時に、電極を構成する活物質の形状が不均等になることを抑制することができる。特に、活物質にデンドライトが形成されることを抑制できる。ここで、リチウムイオンは、正極１１と負極１２の間において、電解液１４中の相対的に電流が集中して流れ易いルートを通って移動する。換言すると、リチウムイオンは、電解液１４が淀んでいる場合、正極１１と負極１２の間で、均等に移動することなく、偏った状態で移動することがある。電極を構成する活物質は、リチウムイオンの吸収量や放出量に依存して、形状が変化する。電池１は、電解液１４を流動させることによって、リチウムイオンが電解液１４中の電流が流れ易い偏ったルートを通ることなく、リチウムイオンを正極１１と負極１２の間で万遍なく移動させることができる。換言すると、電池１は、電解液１４を流動させることによって、局所的な電流の集中を緩和して、例えば負極１２におけるデンドライトの発生を大幅に抑制できる。これにより、例えば負極１２から突出したデンドライトが、セパレータ１３を突き抜けて、例えば正極１１に接触するようなことを抑制できる。この結果、電池１は、正極１１と負極１２が短絡することを抑制して、使用時の信頼性を大幅に向上させることができる。
【００３８】
更に、電池１は、充放電部１０から発生するガスを、電解液１４を充放電部１０に流通させることによって、充放電部１０の外部に排出することができる。この結果、電池１は、正極１１と負極１２がセパレータ１３を介して対面して構成されたアクティブエリアにおいて、電流密度を均等にして、かつ、面圧を均等にすることができる。仮に、アクティブエリアにガスが滞留すると、ガスが溜まった部分は電流が流れなくなる。又、仮に、アクティブエリアにガスが滞留すると、ガスが滞留していない部分を流れる電流が過剰となり、負荷が掛かる。このようなことから、仮に、アクティブエリアにガスが滞留すると、アクティブエリアの電流密度が不均等になる虞がある。又、仮に、アクティブエリアにガスが滞留すると、ガスの滞留の有無によって、アクティブエリアにおける面圧が不均等になる。換言すると、ガスが滞留したアクティブエリアは、面圧が過剰となる。
【００３９】
更に、電池１は、充放電時に充放電部１０に発生する熱を、電解液１４を充放電部１０に流通させることによって、充放電部１０の外部に排出することができる。特に、電解液１４は、正極１１と負極１２に密接していることから、排熱効率が非常に高い。これにより、電池１は、アクティブエリアにおいて、熱に起因する電気抵抗の増加を抑制することができる。この結果、電池１は、充電や放電の条件を緩和して、相対的に短時間で充電したり、相対的に大電流を出力したりすることができる。又、電池１は、放熱用のヒートシンクを簡素化したり、不要としたりすることができる。
【００４０】
本実施形態によれば、ポンプ４３は、少なくとも充放電部１０が充電されているときに、収容部２０内に電解液１４の流れを形成させる。
【００４１】
これにより、例えば負極１２がリチウムイオンを吸収してデンドライト等が発生する充電時において、流動する電解液１４によって、デンドライトを除去することができる。この結果、一の電極（例えば負極１２）から突出したデンドライト等が、セパレータ１３を突き抜けて、他の電極（例えば正極１１）に接触して短絡することを抑制できる。又、充電時に負極１２が膨張するような場合、膨張した状態の負極１２に対して電解液１４を流通させてデンドライト等を除去し易い。
【００４２】
本実施形態によれば、ポンプ４３は、正極１１と負極１２とがセパレータ１３を介して積層された充放電部１０の端面に向かって電解液１４の流れを形成させる。
【００４３】
ここで、図３に示すように、例えば、上方側に位置する端面は、電解液１４が導入される容器２１の上方に形成された第１開口２１ｃに対向するように臨んでいる。一方、下方側に位置する端面は、電解液１４が導出される容器２１の下方に形成された第２開口２１ｄに対向するように臨んでいる。これにより、正極１１とセパレータ１３の間、及び負極１２とセパレータ１３の間に、電解液１４を導入して導出し易くすることができる。この結果、例えば、負極１２とセパレータ１３の間から、デンドライト等を排出し易くすることができる。
【００４４】
本実施形態によれば、ポンプ４３は、収容部２０に接続され収容部２０に電解液１４を導入及び導出する電解液循環部４０を介して収容部２０に電解液１４を循環させせる。
【００４５】
これにより、一定量の電解液１４を繰り返し用いて、充放電部１０に電解液１４を流通させることができる。この結果、電池１の構成を小型化及び簡素化することができる。
【００４６】
本実施形態によれば、ポンプ４３は、電解液循環部４０に設けられたデンドライトを捕集するフィルタ４６を介して、充放電部１０に電解液１４を循環させて流通させる。
【００４７】
これにより、充放電部１０から脱落したデンドライトが、電解液１４と共に充放電部１０に侵入することを抑制できる。この結果、充放電部１０から脱落したデンドライトによる充放電部１０の短絡を抑制できる。
【００４８】
本実施形態によれば、ポンプ４３は、電解液循環部４０に設けられたタンク４１を介して、充放電部１０に電解液１４を循環させて流通させる。
【００４９】
これにより、容器２１内の電解液１４を循環させるときに、タンク４１内の電解液１４をバッファとして用いることができる。この結果、容器２１内の電解液１４の急激な圧力変動を抑制して、充放電部１０への影響を抑えることができる。
【００５０】
本実施形態によれば、電池１は、車両１００に設けられる。
【００５１】
電池１は、高い信頼性が要求される車両１００の電気機器を駆動する電源として好ましい。又、電池１は、航続距離を伸ばしたり駆動電圧を高めたりするために相対的に多くの電源を必要とし、全ての電源に高い信頼性が要求される車両１００に用いることが好ましい。
【００５２】
［実施形態の電池１の態様」
本発明を実施するに当たり、上記の実施形態（第１実施形態及び第２実施形態）は一例であり、具体的な態様を種々に変更して実施することができる。
【００５３】
上記の実施形態の電池１は、繰り返し充放電可能な二次電池を想定している。これに代えて、電池は、出荷前に１回だけ充電を行い使用者等が再充電をすることがない一次電池としてもよい。一次電池は、１回だけの充電であっても、デンドライトが発生する虞があることから、デンドライトによる短絡等を防止できる。このような場合、一次電池は、出荷前の充電が完了すると、電解液循環部を取り外してもよい。
【００５４】
上記の実施形態の電池１は、リチウムイオン電池を想定している。これに代えて、電池は、例えば、ニッケル−カドミウム電池やニッケル−水素電池としてもよい。
【００５５】
上記の実施形態の電池１は、帯状の正極１１と帯状の負極１２を帯状のセパレータ１３を介して巻回して構成した巻回タイプを想定している。これに代えて、電池は、正極と負極をセパレータを介して重ねてなる発電要素を複数積層して構成した積層タイプとしてもよい。積層タイプの電池は、積層方向に沿った全ての側面において、正極、セパレータ及び負極の端面が露出していることから、その端面からデンドライトを外部に排出し易い。
【００５６】
上記の実施形態の電池１は、充放電部１０を容器２１に収容して蓋２２で封止して構成して構成した缶タイプを想定している。これに代えて、電池１は、充放電部１０をラミネートシートで封止して構成したラミネートシートタイプとしてもよい。ここで、ラミネートシートは、強度を保つために内部に金属層を設けた仕様のものがある。しかも、ラミネートシートは、素材から切り出して製造する場合、金属層が全ての端面において露出していることがある。このような場合、デンドライトによるラミネートシートを介した短絡等を防止できる。
【００５７】
上記の実施形態の電池１は、タンク４１を介して、電解液１４を容器２１に対してポンプ４３を用いて循環させる構成を想定している。これに代えて、電池は、タンク４１を介することなく、電解液１４を容器２１に対してポンプ４３を用いて循環させる構成としてもよい。
【００５８】
上記の実施形態の電池１は、フィルタ４６を容器２１から離して設ける構成を想定している。これに代えて、電池は、フィルタ４６を容器２１に接合して設ける構成としてもよい。
【００５９】
上記の実施形態の電池１は、充放電部１０の充放電に伴い発生したガスを容器２１の内部に貯蔵する構成を想定している。換言すると、電池１は、充放電部１０から排出されたガスを、充放電部１０と容器２１の収容部２１ｂの隙間の非アクティブエリアに貯蔵する構成としている。これに代えて、電池は、充放電部１０から排出されたガスを、捕集して脱気するフィルタを容器２１に設ける構成としてもよい。このようなフィルタは、容器２１に着脱可能に構成してもよい。
【００６０】
上記の実施形態の電池１は、複数に分岐した導入管４４を介して容器２１に電解液１４を導入し、かつ、複数に分岐した導出管４５を介して容器２１から電解液１４を導出する構成を想定している。これに代えて、電池は、分岐されていない１本の導入管を介して容器２１に電解液１４を導入したり、分岐されていない１本の導出管を介して容器２１から電解液１４を導出したりする構成としてもよい。
【００６１】
上記の実施形態の電池１は、１つの容器２１に対して１つのポンプ４３と１つのタンク４１を用いて電解液１４を循環させる構成を想定している。これに代えて、電池は、例えば車両に複数設けるような場合、複数の容器２１に対して例えば１つのポンプ４３と１つのタンク４１を用いて電解液１４を循環させる構成としてもよい。
【符号の説明】
【００６２】
１…電池、２…電源ケーブル、３…インバータ、４…前輪、５…前輪用モータ、６…後輪、７…後輪用モータ、８…電源ケーブル、１０…充放電部（発電要素）、１１…正極、１２…負極、１３…セパレータ、１４…電解液、２０…収容部（収容部材）、２１…容器、２２…蓋、３０…通電部、３１…集電板、３１Ｍ…正極側集電板、３１Ｎ…負極側集電板、３２…電極端子、３２Ｍ…正極側電極端子、３２Ｎ…負極側電極端子、４０…電解液循環部（循環路）、４１…タンク、４２…連結管、４３…ポンプ（流通部材）、４４…導入管、４５…導出管、４６…フィルタ、４７…戻管、１００…車両、２００…給電設備。
【図１】
2020053212.tif 000003
【図２】
2020053212.tif 000004
【図３】
2020053212.tif 000005